(57)【特許請求の範囲】
【請求項１】
携帯電話及び固定電話装置の間に用いられる電話交換機能を有するドッキング装置であって、
前記携帯電話と電気的に接続可能に且つ前記携帯電話を着脱可能に装着するように設けられたドッキングベースと、
ダイヤル信号を受信するために前記固定電話装置に電気的に連結されるように設けられている電話通信インターフェースと、
前記ドッキングベースを介して前記携帯電話から出力された着信信号を受信するように前記ドッキングベースに電気的に接続されているプロセッサーと、
前記着信信号が受信されるように前記プロセッサーに電気的に接続されていると共に、前記ダイヤル信号が受信されるように前記電話通信インターフェースに電気的に接続されている交換モジュールと、
固定電話の電話網に電気的に接続可能に前記交換モジュールに電気的に接続された固定電話接続インターフェースと、
前記プロセッサーに電気的に接続され、前記固定電話接続インターフェースを介して電話をかける際に、前記携帯電話及び前記固定電話装置のどちらを使うかを示す通話設定命令を入力するための入力インターフェースと、を備え、
前記交換モジュールによって、前記着信信号がアナログ着信信号に変換され、前記電話通信インターフェースを介して前記固定電話装置に出力されることで、前記固定電話装置にて前記着信信号に応じた電話に応答するようにし、
また、前記交換モジュールによって、前記ダイヤル信号がデジタルダイヤル信号に変換され前記プロセッサーに出力されると、出力された前記デジタルダイヤル信号が前記プロセッサーによって前記携帯電話に適用する形式を有するダイヤル信号に変換されて前記携帯電話に出力されることで、適用する形式を有する変換された前記デジタルダイヤル信号に基づいて前記携帯電話が前記ドッキングベースを通じて電話を発信するようにし、
前記プロセッサーは、前記通話設定命令に基づいて、前記携帯電話及び前記固定電話装置のどちらかを使って電話をかけるようにすることを特徴とする電話交換機能を有するドッキング装置。
【請求項２】
前記プロセッサーは、前記入力インターフェースによって入力された通話設定命令に基づいて、前記交換モジュールによって前記ダイヤル信号が前記固定電話接続インターフェースを介して前記電話網に出力されると、前記固定電話装置による電話を発信するようにし、
一方、前記プロセッサーは、前記電話網から前記交換モジュール及び前記固定電話接続インターフェースを介して前記固定電話による着信信号を受信すると、該着信信号が前記交換モジュール及び前記電話通信インターフェースを介して前記固定電話装置に送信されるようにすることを特徴とする請求項１に記載のドッキング装置。
【請求項３】
前記プロセッサーは、前記携帯電話の着信信号が受信されているときに前記電話網経由の前記固定電話の着信信号が受信された場合、前記固定電話の着信信号の送信先へ知らせるよう前記交換モジュール及び前記固定電話接続インターフェースを介して前記電話網に通話中であることを知らせるビジートーンシグナルを送信し、
一方、前記電話網による前記固定電話の着信信号が受信されているときに前記携帯電話の着信信号が受信された場合、前記ドッキングベースを介して前記ビジートーンシグナルを生成して前記携帯電話に送信することによって、前記携帯電話の着信信号の送信先へ知らせるようにすることを特徴とする請求項２に記載のドッキング装置。
【請求項４】
前記プロセッサーは、前記デジタルダイヤル信号に含まれた電話番号が地域番号を含まないものであると判定した場合、当該デジタルダイヤル信号が対応する地域番号を自動的に加えて、前記ドッキングベースを介して前記携帯電話に出力されることを特徴とする請求項１に記載のドッキング装置。
【請求項５】
前記交換モジュールは、前記着信信号をアナログ着信信号に変換すると共に、前記ダイヤル信号をデジタルダイヤル信号に変換するモデムを有することを特徴とする請求項１〜４のいずれかの一項に記載のドッキング装置。
【請求項６】
更に、前記プロセッサーに電気的に接続されたマルチメディアプレーヤーモジュールと、前記マルチメディアプレーヤーモジュールに電気的に接続されたマルチメディア出力モジュールを有し、
前記プロセッサーは、前記ドッキングベースを介して前記携帯電話に蓄積されたマルチメディアファイルを読み出し、前記マルチメディアプレーヤーモジュールに出力することにより、復号を行い、復号された前記マルチメディアファイルが、前記マルチメディア出力モジュールから出力されて再生されることを特徴とする請求項５に記載のドッキング装置。
【請求項７】
更に前記プロセッサーに電気的に接続された無線通信モジュールを有し、
前記プロセッサーは、前記ドッキングベースを介して前記携帯電話から読み出された前記マルチメディアファイルを、前記無線通信モジュールを通じて、離れて配置されたマルチメディア出力装置に出力することを特徴とする請求項６に記載のドッキング装置。
【請求項８】
前記無線通信モジュールは、ＷｉＦｉ・ＡｉｒＰｌａｙ・プロトコル対応のワイファイ・エアプレイ・モジュール、又は、ＷｉＦｉデジタル・リビング・ネットワーク・アライアンス（ＤＬＮＡ）ガイドライン対応のワイファイ・ＤＬＮＡ・モジュールであることを特徴とする請求項７に記載のドッキング装置。
【発明の詳細な説明】
【技術分野】
【０００１】
本発明は、電子装置に用いられるドッキング装置に関し、特に電話交換機能を有するドッキング装置に関する。
【背景技術】
【０００２】
従来のドッキング装置は主として、携帯電話の充電や、携帯電話に蓄積されたマルチメディアデータの再生などを行うように用いられている。また、携帯電話はバッテリ駆動が可能で携行が容易な利用利便性により、家庭、オフィス内等でも固定電話装置に代わって携帯電話を利用することが多くなっている。
【先行技術文献】
【特許文献】
【０００３】
【特許文献１】米国特許第２００５/０１７４９９２  Ａ１号
【発明の概要】
【発明が解決しようとする課題】
【０００４】
しかし、携帯電話を耳にあてて長時間通話を続けると、利用者が携帯電話の電磁波に曝されることで健康に影響を及ぼす危険性があるとされており、離れて使うことが望ましい。
【０００５】
そこで、本発明は、家又はオフィス内等では携帯電話を持たずに利用することができる電話交換機能を有するドッキング装置を提供することを特徴とする。
【課題を解決するための手段】
【０００６】
上記目的を達成するために、本発明は、携帯電話及び固定電話装置の間に用いられる電話交換機能を有するドッキング装置であって、前記携帯電話と電気的に接続可能に且つ前記携帯電話を着脱可能に装着するように設けられたドッキングベースと、ダイヤル信号を受信するために前記固定電話装置に電気的に連結されるように設けられている電話通信インターフェースと、前記ドッキングベースを介して前記携帯電話から出力された着信信号を受信するように前記ドッキングベースに電気的に接続されているプロセッサーと、前記着信信号が受信されるように前記プロセッサーに電気的に接続されていると共に、前記ダイヤル信号が受信されるように前記電話通信インターフェースに電気的に接続されている交換モジュールとを備え、前記交換モジュールによって、前記着信信号がアナログ着信信号に変換され、前記電話通信インターフェースを介して前記固定電話装置に出力されることで、前記固定電話装置にて前記携帯電話の前記着信信号に応じた電話に応答するようにし、また、前記交換モジュールによって、前記ダイヤル信号がデジタルダイヤル信号に変換され前記プロセッサーに出力されると、出力されたデジタルダイヤル信号が前記プロセッサーによって前記携帯電話に適用する形式を有するダイヤル信号に変換されて前記携帯電話に出力されることで、適用する形式を有する変換されたデジタルダイヤル信号に基づいて前記携帯電話が前記ドッキングベースを通じて電話を発信するようにすることを特徴とする。
【発明の効果】
【０００７】
本発明に係る電話交換機能を有するドッキング装置によれば、携帯電話及び固定電話装置の間に設けられたコミュニケーション・インターフェースとして用いることができるので、家やオフィスなどの室内では固定電話装置を用いて携帯電話を通じた電話をかけたり、電話に出たりすることができる。従って、携帯電話の電磁波による曝露を大幅に低減することができる。
【図面の簡単な説明】
【０００８】
【図１】本発明に係る電話交換機能を有するドッキング装置が用いられる一構成例を概略的に示す図である。
【図２】図１のドッキング装置の構成を示すブロック図である。
【発明を実施するための形態】
【０００９】
本発明の上述の目的、その他の目的、特徴及び利点は、添付図面を参照しながら、以下の好適な実施例の詳細な説明により明らかとなろう。
【００１０】
（実施例）
図１、２に示されているように、この実施例に係る電話交換機能を有するドッキング装置(簡略にするために、以降、「ドッキング装置」と呼ぶ)は、例えばＡｐｐｌｅ ｉＯＳ(登録商標)を使用するｉＰｈｏｎｅ(登録商標)系列の携帯端末機やＧｏｏｇｌｅ Ａｎｄｒｏｉｄ(登録商標)を使用する携帯端末機などの携帯電話２及び固定電話装置３の間に用いられるものであり、携帯電話２は無線通信回線１００に接続されており、固定電話装置３を用いてドッキング装置１を介して携帯電話２による電話を発信することができる。ドッキング装置１は、図示の如く、ドッキングベース１１と、電話通信インターフェース１２と、プロセッサー１３と、交換モジュール１４とを備えている。
【００１１】
ドッキングベース１１は、携帯電話２に電気的に接続されるように携帯電話２を着脱可能に収容するための凹みとしてドッキング装置１の上面に形成されている。
【００１２】
電話通信インターフェース１２は、ダイヤル信号を受信するために固定電話装置３に電気的に連結されるように設けられている。
【００１３】
プロセッサー１３は、ドッキングベース１１に電気的に接続されており、ドッキングベース１１を介して携帯電話２から出力された電話の着信信号を受信する。
【００１４】
交換モジュール１４は、電話の着信信号が受信されるようにプロセッサー１３に電気的に接続されていると共に、ダイヤル信号を受信するように電話通信インターフェース１２に電気的に接続されている。交換モジュール１４は、変調（modulation）と復調（demodulation）とを行うモデム１４１を含み、プロセッサー１３によって受信された着信信号をアナログ着信信号に変換し、電話通信インターフェース１２を介して固定電話装置３に出力させる。これによって、利用者は固定電話装置３を用いて携帯電話２への着信信号に係る電話に出ることができる。また、モデム１４１によって電話通信インターフェース１２を介して受信されたダイヤル信号をデジタルダイヤル信号に変換してプロセッサー１３に伝送する。プロセッサー１３は、デジタルダイヤル信号を携帯電話２が適用する形式を有するダイヤル信号に変換し、ドッキングベース１１を介して携帯電話２に出力する。これによって、携帯電話２がこの変換されたダイヤル信号に基づいて無線通信回線１００を介して電話を発信することができる。
【００１５】
なお、固定電話装置３を使って電話をかけるときは発信元の固定電話装置３の所在地と同一の地域番号（例えば市外局番）をダイヤルしなくてよいが、携帯電話２を使って電話をかけるときは相手先番号に地域番号を冠してかけなければならない。この例において、ドッキング装置１は更に、プロセッサー１３に電気的に接続され、ドッキング装置１の所在地域を表す地域番号を設定するための入力インターフェース１５を有する。例えば、ドッキング装置１の設置場所が東京都区部である場合、入力インターフェース１５を介して０３と設定し、プロセッサー１３に記憶しておく。なお、該入力インターフェース１５は、例えばプッシュ式のキーパッド或いはタッチ式キーパッドなどである。
【００１６】
プロセッサー１３はデジタルダイヤル信号が受信された場合、デジタルダイヤル信号に含まれた電話番号が地域番号を含んだものであるかどうかを判定する。プロセッサー１３によって当該デジタルダイヤル信号に地域番号を含まないものであると判定した場合、利用者がドッキング装置１の所在と同一地域の電話を発信すると分かるため、当該受信されたデジタルダイヤル信号に地域番号例えば０３を自動的に加え、そして、ドッキングベース１１を介して携帯電話２に送信する。
【００１７】
以上により、家庭や会社などの室内の固定電話装置３に繋げられて設けられたドッキング装置１にドッキングベース１１を介して携帯電話２が差し込まれた場合、利用者が固定電話装置３を使ってダイヤルをすると、ドッキング装置１を介して携帯電話２を作動させて電話を発信することができると共に、携帯電話２に電話がかかってくると、ドッキング装置１を介して固定電話装置３を使って電話に出ることが出来る。従って、家や会社の中に居るときは、固定電話装置３を用いて携帯電話２を介した無線通信による電話をかけたり、または同電話に出たりすることができるので、携帯電話２の電磁波による曝露を大幅に低減することができる。
【００１８】
また、この例では、ドッキング装置１は更に、電気通信事業者に固定電話（図示せず）のもう１つの電話番号の加入を申請するとき、例えばＰＳＴＮ（公衆交換電話網）、固定電話回線などの電話網２００に直接電気的に接続されるための、交換モジュール１４に電気的に接続された固定電話接続インターフェース１６を有する。そして、利用者は、携帯電話２又は固定電話装置３のどちらを使って電話をかけるかの通話設定命令を入力インターフェース１５を介してドッキング装置１の変換モジュール１４に設定することが可能である。
【００１９】
具体的には、プロセッサー１３は利用者が入力インターフェース１５を介して設定された例えば固定電話装置３を使う通話設定命令に基づいて、交換モジュール１４に対して固定電話接続インターフェース１６経由を選定可能に設定を行う。この設定に基づいて電話通信インターフェース１２を介して送られてきたダイヤル信号が固定電話接続インターフェース１６及び電話回線１０を経由して電話網２００に送信されると、固定電話装置３による電話をかけることができる。また、プロセッサー１３は、交換モジュール１４と固定電話接続インターフェース１６を介して、電話網２００から電話がかかってきたという着信信号が受信されると、該着信信号が交換モジュール１４及び電話通信インターフェース１２を介して固定電話装置３に送信される。
【００２０】
一方、入力インターフェース１５を介して携帯電話２を使う通話設定命令が入力されると、ドッキング装置１は、交換モジュール１４のモデム１４１によってダイヤル信号をデジタル変換すると共に、プロセッサー１３によってデジタル変換されたダイヤル信号を携帯電話２に適用する形式を備えたデジタルダイヤル信号に変換する。なお、携帯電話２に適用する形式を有するダイヤル信号とは例えば地域番号を加えたものである。デジタル変換されたダイヤル信号が携帯電話２に適用する形式を備えたものに変換されると、携帯電話２に送信される。これによって携帯電話２を用いて電話をかけることになり、無線通信回線１００を介して通話をすることができる。
【００２１】
また、プロセッサー１３は、携帯電話２にて電話をかけたり出たりしているときに電話網２００経由の固定電話による着信信号が受信された場合、該固定電話による着信信号の送信先（図示せず）へ知らせるよう交換モジュール１４及び固定電話接続インターフェース１６を介して電話網２００に通話中であることを知らせるビジートーンシグナルを送信する。
【００２２】
その一方、プロセッサー１３は、電話網２００による固定電話の着信信号が受信されているときに携帯電話２による着信信号が受信された場合、ドッキングベース１１を介して通話中であることを知らせるビジートーンシグナルを生成して携帯電話２に送信する、或いは携帯電話２によって通話中であることを知らせるビジートーンシグナルを生成することによって、携帯電話２による着信信号の送信先（図示せず）へ知らせてもよい。
【００２３】
この例では、ドッキング装置１は更に、プロセッサー１３に電気的に接続されたマルチメディアプレーヤーモジュール１７と、マルチメディアプレーヤーモジュール１７に電気的に接続されたマルチメディア出力モジュール１８を有する。マルチメディア出力モジュール１８は、スピーカ及び／又はディスプレイを含む。
【００２４】
プロセッサー１３は、入力インターフェース１５を介して入力された操作命令に基づいて、ドッキングベース１１を介して携帯電話２に蓄積されたマルチメディアファイル（ＭＰ３・オーディオ・ファイル、又は、ＭＰ４・ビデオ・ファイル）を読み出し、マルチメディアプレーヤーモジュール１７に出力することにより、復号を行う。復号されたマルチメディアファイルが、マルチメディア出力モジュール１８から出力されて再生される。
【００２５】
本例では、更にプロセッサー１３に電気的に接続された無線通信モジュール１９を有する。無線通信モジュール１９は、ＷｉＦｉ・ＡｉｒＰｌａｙ・プロトコル対応のワイファイ・エアプレイ・モジュール、又は、ＷｉＦｉデジタル・リビング・ネットワーク・アライアンス（ＤＬＮＡ）ガイドライン対応のワイファイ・ＤＬＮＡ・モジュールである。
【００２６】
プロセッサー１３は、ドッキングベース１１を介して携帯電話２に蓄積されたマルチメディアファイルを読み出して、無線通信モジュール１９を介して、離れて配置されたＷｉＦｉ・Ａｉｒｐｌａｙ又はＷｉＦｉ・ＤＬＮＡ・ガイドラインに対応するマルチメディア出力装置４に出力することにより再生する。なお、マルチメディア出力装置４は、少なくとも１つのスピーカ及び／又はディスプレイを含み、携帯電話２に蓄積されたマルチメディアファイルを再生することができる。なお、スピーカは、一例として、家庭内のデジタルオーディオ装置、ディスプレイは、一例として、デジタルテレビを用いる。
【００２７】
以上により、本発明に係るドッキング装置１は、携帯電話２及び固定電話装置３の間に設けられたコミュニケーション・インターフェースとして用いられることができるので、交換モジュール１４のモデム１４１とプロセッサー１３とにより、利用者が固定電話装置３に入力されたダイヤル信号を携帯電話２に適用する信号形式に変換して携帯電話２に送信する。これによって携帯電話２によって電話をかけることができる。従って、室内で携帯電話２を使って電話をするときには、携帯電話２を介する電話を固定電話装置３を用いてかけることができるため、携帯電話２の電磁波による曝露を大幅に低減することができる。また、本発明に係るドッキング装置１によれば、携帯電話２から蓄積されたマルチメディアファイルを読み出して再生したり携帯電話２にマルチメディアファイルを書き込んだりすることも可能である。
【００２８】
本発明を上記の関連する実施形態により説明したが、上記実施形態は本発明を実施する例を示したのみであり、本発明の範囲はこれら実施形態により何ら限定されるものではない。反対に、特許請求の範囲に含まれる技術的思想および範囲の修正および均等な配置はいずれも本発明の範囲内に含まれるものである。
【産業上の利用可能性】
【００２９】
本発明に係る電話交換機能を有するドッキング装置は、携帯電話と固定電話装置との間に通信リンクを確立して接続することにより固定電話装置による通話をすることができるので、例えばオフィス、家庭内等では、家又はオフィス内等では携帯電話を持たずに利用することができ、携帯電話からの電磁波に曝露されることが大幅に軽減することができる。
【符号の説明】
【００３０】
１  ドッキング装置
１１  ドッキングベース
１２  電話通信インターフェース
１３  プロセッサー
１４  交換モジュール
１４１  モデム
１５  入力インターフェース
１６  固定電話接続インターフェース
１７  マルチメディアプレーヤーモジュール
１８  マルチメディア出力モジュール
１９  無線通信モジュール
２  携帯電話
２００  電話網
３  固定電話装置
１０  電話回線
１００  無線通信回線
【図１】
0005548245.tif 000002
【図２】
0005548245.tif 000003